Podtech/llm-jp-corpus-v4-ja_patent huggingface dataset:
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
眼底撮影装置による蛍光造影撮影において撮影された蛍光による眼底正面画像である蛍光造影画像の表示を少なくとも行う眼底画像観察プログラムであって、
コンピュータのプロセッサによって実行されることにより、
被検眼に対する一連の蛍光造影撮影によって取得された複数フレームの前記蛍光造影画像が含まれる、画像群データを取得する第１取得ステップと、
前記画像群データに含まれる前記蛍光造影画像の中から、所望の造影状態を示すフレームをキーフレームとして少なくとも１フレーム以上選択および設定することで、前記画像群データにおける前記キーフレームを特定する情報であるキーフレーム特定情報を得る第２取得ステップと、
事前に取得された前記キーフレーム特定情報に基づいて、前記画像群データから前記キーフレームが抽出され、抽出された前記キーフレームが表示部上で一覧表示される一覧表示ステップと、
を前記コンピュータに実行させる眼底画像観察プログラム。
【請求項２】
請求項１に記載の眼底画像観察プログラムであって、
前記第１取得ステップでは、一定周期で連続的に撮影された複数フレームの前記蛍光造影画像である撮影画像群を少なくとも含んだ、前記画像群データが取得され、
前記第２取得ステップは、前記撮影画像群の撮影中において発せられた第３のトリガ信号の出力タイミングで撮影された前記蛍光造影画像を、前記キーフレーム、または、その候補として特定する、前記キーフレーム特定情報を取得する。
【請求項３】
請求項１又は２記載の眼底画像観察プログラムであって、
前記第２取得ステップにおいて、前記キーフレームを前記画像群データに含まれる複数フレームの蛍光造影画像の中から検者の選択操作に基づいて選択するためのキーフレーム選択画面が前記表示部に表示され、且つ、前記キーフレーム選択画面には、前記画像群データに含まれる前記蛍光造影画像が、少なくとも１フレーム以上表示され、
前記キーフレーム選択画面に表示される前記蛍光造影画像のうち前記選択操作に応じた少なくとも１枚以上を、前記キーフレームとして特定するキーフレーム特定情報を取得する。
【請求項４】
請求項１から３のいずれかに記載の眼底画像観察プログラムであって、
前記一覧表示ステップは、前記表示部上に表示される前記キーフレームのうちいずれかである第１キーフレームに対する所定の操作入力を前記コンピュータの入力インターフェイスを介して受け付けた場合に、キーフレーム以外の前記画像群データに含まれるフレームであって、前記第１キーフレームの造影時期から所定期間内に含まれるフレームが、前記画像群データに基づいて表示部に表示される。
【請求項５】
請求項１から４のいずれかに記載の眼底画像観察プログラムであって、
前記画像群データに含まれる複数フレームの前記蛍光造影画像の各々が、瞬目、および、固視ズレのいずれかが生じたタイミングで撮影された撮影不良画像であるか否かを判定する判定ステップを更に、前記コンピュータに実行させ、
前記第２取得ステップは、前記画像群データに含まれる複数フレームの前記蛍光造影画像のうち前記撮影不良画像がキーフレームおよびその候補から除外された前記キーフレーム特定情報を取得する。
【請求項６】
請求項１から５のいずれかに記載の眼底画像観察プログラムであって、
前記第１取得ステップで取得される前記画像群データには、前記一連の蛍光造影撮影における経過時間であって、前記画像群データに含まれる各フレームの撮影タイミングでの経過時間を示す経過時間情報が含まれており、
前記一覧表示ステップは、前記表示部上に一覧表示される前記キーフレーム毎に、前記経過時間情報に基づいて前記経過時間を対応付けて表示させる。
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
眼底撮影装置による蛍光造影撮影において撮影された眼底正面画像である蛍光造影画像の表示を少なくとも行う眼底画像観察プログラムであって、
コンピュータのプロセッサによって実行されることにより、
被検眼に対する一連の蛍光造影撮影において、第１の撮影トリガ信号に基づいて撮影された少なくとも１枚の第１蛍光造影画像と、前記第１の撮影トリガ信号とは出力タイミングが異なる第２の撮影トリガ信号に基づいて撮影された少なくとも１枚の第２蛍光造影画像と、を１つの画像群データとして取得する取得ステップと、
前記画像群データに含まれる前記第１蛍光造影画像と前記第２蛍光造影画像との中から、任意の造影時期に撮影された前記蛍光造影画像を、前記画像群データに基づいて選択的に表示部に表示させる表示ステップと、
をコンピュータに実行させる眼底画像観察プログラム。
【請求項２】
請求項１記載の眼底画像観察プログラムであって、
前記第１蛍光造影画像は、前記第１の撮影トリガ信号の出力タイミング以降に、一定周期で連続的に撮影された複数フレームの画像であり、
前記第２蛍光造影画像は、前記第２の撮影トリガ信号に基づいて単発的に撮影された静止画像であり、
前記表示ステップは、前記第１蛍光造影画像の造影時期と前記第２蛍光造影画像の造影時期とを１つの時系列として、該時系列における任意の造影時期を選択して前記表示部に表示させる。
【請求項３】
請求項１又は２記載の眼底画像観察プログラムであって、
前記表示ステップは、
前記造影時期の選択操作を受け付けるための操作部を前記表示部上に表示させ、
操作部の操作に基づいて前記画像群データから選択された造影時期の蛍光造影画像を、表示部に表示させる。
【請求項４】
請求項１から３の何れかに記載の眼底画像観察プログラムであって、
前記表示ステップでは、
前記画像群データに含まれる前記第１蛍光造影画像および前記第２蛍光造影画像のサムネイルを、サムネイル表示領域に、撮影順に並べて表示させ、
前記サムネイル表示領域に表示される前記サムネイルのうちいずれかが詳細表示の対象として選択される場合に、前記選択された前記サムネイルと対応する前記蛍光造影画像を、前記サムネイルと比べて大きなサイズおよび高い画素数のいずれかで表示させる。
【請求項５】
請求項１から４いずれかに記載の眼底画像観察プログラムであって、
前記第１蛍光造影画像は、前記第１の撮影トリガ信号の出力タイミング以降に、一定周期で連続的に撮影された複数フレームの画像であり、
前記取得ステップでは、第１の撮影トリガ信号に基づいて複数フレームの前記第１蛍光造影画像が撮影される間に発せられた第３トリガ信号の出力タイミングで撮影された前記第１蛍光造影画像を特定する特定情報が更に取得され、
前記表示ステップでは、前記画像群データに含まれる前記第１蛍光造影画像のうち、前記特定情報によって特定される画像が選択的に表示される。
【請求項６】
請求項１から５のいずれかに記載の眼底画像観察プログラムであって、
前記画像群データに含まれる各々の蛍光造影画像が、瞬目、および、固視ズレのいずれかが生じたタイミングで撮影された撮影不良画像であるか否かを判定する判定ステップを、前記コンピュータに更に実行させ、
更に、前記表示ステップでは、前記撮影不良画像を予め除外したうえで、前記蛍光造影画像を表示部に表示させる。
【請求項７】
請求項１から６のいずれかに記載の眼底画像観察プログラムであって、
前記取得ステップでは、前記蛍光造影画像ごとの造影時期を示す時間情報を取得し、
前記表示ステップは、前記表示部に表示される各々の前記蛍光造影画像と共に各画像についての前記時間情報を表示させる。
【手続補正書】
【提出日】令和1年7月12日(2019.7.12)
【手続補正１】
【補正対象書類名】明細書
【補正対象項目名】００３３
【補正方法】変更
【補正の内容】
【００３３】
（側部バリヤーシート）
図３及び図４にも示されるように、物品内面の両側部（図示形態ではトップシート２の側縁部表面からその側方に延在する液不透過性シート１の表面）には、側部バリヤーシート４の幅方向外側の部分４ｘが前後方向全体にわたり貼り付けられている。側部バリヤーシート４は、各種不織布（スパンボンド不織布が好適である）の他、液不透過性シートに用いられるものと同様のプラスチックフィルム、又はこれらの積層シートを用いることができるが、肌への感触性の点で、撥水処理を施した不織布が好適である。側部バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、細長状弾性伸縮部材４Ｇが前後方向に沿って伸長した状態でホットメルト接着剤等により固定されている。この細長状弾性伸縮部材４Ｇは図示例では所定の間隔を空けて複数本設けられているが、一本でも良い。細長状弾性伸縮部材４Ｇ（他の細長状弾性伸縮部材も同様）としては、糸状、紐状、帯状等に形成された天然ゴム又は合成ゴム、具体的にはスチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。この自由部分は、細長状弾性伸縮部材４Ｇの収縮力が作用する結果、図４に示されるように、物品内面（図示形態ではトップシート２表面）に対して起立する側部バリヤーを構成する。この起立部分の基端４ｂは側部バリヤーシート４における幅方向外側の固定部分４ｘと内側の部分４ｃとの境に位置する。なお、図１中の右斜め上がりの斜線部分は側部バリヤーシート４の固着部分を示している。
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
被検眼に挿入するＩＯＬの度数を決定するための眼科装置であって、
被検眼の複数の眼形状パラメータを取得するパラメータ取得手段と、
ＩＯＬ度数を演算する演算制御手段と、を備え、
前記演算制御手段は、機械学習アルゴリズムによって訓練された数学モデルに前記複数の眼形状パラメータを入力することによって、前記数学モデルからＩＯＬ関連情報を出力させることを特徴とする眼科装置。
【請求項２】
前記演算制御手段は、前記数学モデルに前記複数の眼形状パラメータを入力することによって、前記数学モデルから前記ＩＯＬ関連情報としてＩＯＬ度数を出力させることを特徴とする請求項１の眼科装置。
【請求項３】
前記演算制御手段は、複数のＩＯＬ度数計算式のうち適切な式を選択するための選択情報を前記数学モデルに出力させることを特徴とする請求項１の眼科装置。
【請求項４】
前記眼形状パラメータは、水晶体の嚢径を含むことを特徴とする請求項１〜３のいずれかの眼科装置。
【請求項５】
前記演算制御手段は、前記眼形状パラメータの他に、患者の人種、性別、年齢、ＩＯＬモデル、術者の少なくともいずれかの特徴に関する特徴パラメータを前記数学モデルに入力することを特徴とする請求項１■４のいずれかの眼科装置。
【請求項６】
前記特徴パラメータは、既に前記被検眼に挿入されているＩＯＬに関する情報を含むことを特徴とする請求項５の眼科装置。
【請求項７】
被検眼に挿入するＩＯＬの度数を決定するための眼科装置において実行されるＩＯＬ度数決定プログラムであって、前記眼科装置のプロセッサによって実行されることで、
被検眼の複数の眼形状パラメータを取得するパラメータ取得ステップと、
機械学習アルゴリズムによって訓練された数学モデルに前記複数の眼形状パラメータを入力することによって、前記数学モデルからＩＯＬ関連情報を出力させる演算ステップと、を前記眼科装置に実行させることを特徴とするＩＯＬ度数決定プログラム。
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
被検眼の光学特性を測定する眼科測定装置であって、
前記被検眼に測定光を照射する投光光学系と、
前記被検眼の眼底によって反射した前記測定光を複数の光束に変換させるための変換部材と、受光素子と、を有し、前記変換部材を介して前記測定光を前記受光素子に結像させる受光光学系と、
前記測定光が前記受光素子に結像されるときの合焦状態を調節するための視度補正手段と、
前記測定光の一部を遮光する遮光部材と、前記遮光部材による前記測定光の遮光状態を切り換える切換手段と、を有する遮光ユニットと、
前記遮光ユニットによって前記測定光の一部が遮光された状態で、前記受光素子に受光された前記測定光の受光結果に基づいて、前記視度補正手段を制御する制御手段と、
を備えることを特徴とする眼科測定装置。
【請求項２】
前記遮光部材は、前記遮光部材を前記変換部材の近傍の光路、または前記変換部材の共役位置の近傍の光路に、配置されることを特徴とする請求項１の眼科測定装置。
【請求項３】
前記切換手段は、前記遮光部材を前記光路に挿脱することによって前記測定光の遮光状態を切り換えることを特徴とする請求項２の眼科測定装置。
【請求項４】
前記遮光部材は、開口を有することを特徴とする請求項１■３のいずれかの眼科測定装置。
【請求項５】
前記変換部材は、二次元的に配置された複数の微小レンズを有するマイクロレンズアレイであって、
前記遮光部材の開口は、前記微小レンズの一つの直径と実質的に同一であることを特徴とする請求項４の眼科測定装置。
【請求項６】
前記制御手段は、前記遮光部材によって前記測定光の一部が遮光された状態で、前記受光素子に受光された前記測定光の受光結果に基づいて、前記視度補正手段を制御し、前記合焦状態を調節した後に、前記切換手段によって前記遮光部材による遮光が解除された状態で、前記受光素子に受光される前記測定光の受光結果に基づいて前記被検眼の光学特性を求めることを特徴とする請求項１■５のいずれかの眼科測定装置。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
操作可能な操作手段と、
演出を制御可能な演出制御手段と、を備える遊技機において、
前記演出制御手段は、
前記操作手段への操作を促す操作促進演出を実行可能であり、
前記操作促進演出の実行がストックされていること示すストック表示を実行可能であり、
前記ストック表示の消化によって前記操作促進演出を実行可能であり、
前記ストック表示が実行されるストックタイミングは、複数設けられていることを特徴とする遊技機。
【請求項２】
請求項１に記載の遊技機において、
前記ストック表示の消化が実行される消化タイミングは、複数設けられていることを特徴とする遊技機。
【手続補正２】
【補正対象書類名】明細書
【補正対象項目名】０００５
【補正方法】変更
【補正の内容】
【０００５】
しかしながら、上記特許文献１に記載の遊技機の演出には改善の余地があった。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、遊技興趣を高めることが可能な遊技機を提供することにある。
【手続補正４】
【補正対象書類名】明細書
【補正対象項目名】０００７
【補正方法】変更
【補正の内容】
【０００７】
本発明に係る遊技機は、
操作可能な操作手段と、
演出を制御可能な演出制御手段と、を備える遊技機において、
前記演出制御手段は、
前記操作手段への操作を促す操作促進演出を実行可能であり、
前記操作促進演出の実行がストックされていること示すストック表示を実行可能であり、
前記ストック表示の消化によって前記操作促進演出を実行可能であり、
前記ストック表示が実行されるストックタイミングは、複数設けられていることを特徴とする遊技機である。
【手続補正５】
【補正対象書類名】明細書
【補正対象項目名】０００８
【補正方法】変更
【補正の内容】
【０００８】
本発明の遊技機によれば、遊技興趣を高めることが可能である。
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
患者眼からの観察光束を導光する観察光学系を有し、手術中に前記患者眼をユーザに観察させる手術顕微鏡と、
光の出射および受光の少なくともいずれかを行うことで前記患者眼の特性の測定または治療を行う眼科用光学機器と、
前記眼科用光学機器の少なくとも一部を、前記観察光学系と前記患者眼の間で前記患者眼の特性の測定または治療を行う作動位置と、前記作動位置から離間する退避位置との間で移動可能に支持する支持機構と、
を備えたことを特徴とする眼科手術システム。
【請求項２】
請求項１に記載の眼科手術システムであって、
前記手術顕微鏡は、
前記観察光学系における前記観察光束の光路上に設けられ、前記観察光学系の焦点距離を変更する焦点距離変更部と、
前記観察光学系の位置を、少なくとも前記観察光束に沿う方向に移動させる観察光学系移動部と、
を備えたことを特徴とする眼科手術システム。
【請求項３】
請求項２に記載の眼科手術システムであって、
少なくとも前記手術顕微鏡の動作を制御する顕微鏡制御部をさらに備え、
前記手術顕微鏡は、
前記焦点距離変更部を駆動させる焦点距離変更駆動部と、
前記観察光学系移動部を駆動させる観察光学系移動駆動部とをさらに備え、
前記顕微鏡制御部は、
前記観察光学系を移動させる指示が入力された場合に、前記観察光学系移動駆動部を制御して前記観察光学系を前記観察光束に沿う方向に移動させると共に、前記焦点距離変更駆動部を制御して前記観察光学系の焦点距離を前記観察光学系の移動距離と同じ距離だけ変更することを特徴とする眼科手術システム。
【請求項４】
請求項１から３のいずれかに記載の眼科手術システムであって、
前記手術顕微鏡は、
前記観察光学系によって導光された前記観察光束を受光することで、前記患者眼の顕微鏡画像を撮影する撮影素子をさらに備え、
前記眼科手術システムは、
少なくとも表示手段における前記顕微鏡画像の表示制御を行う制御部をさらに備え、
前記手術顕微鏡は、
前記眼科用光学機器から前記患者眼に向けて出射された光を、前記患者眼に対する前記眼科用光学機器のアライメント、および、前記眼科用光学機器のフォーカス状態の判断の少なくともいずれかに用いる指標として撮影することを特徴とする眼科手術システム。
【請求項５】
手術中に患者眼をユーザに観察させる手術顕微鏡と、光の出射および受光の少なくともいずれかを行うことで前記患者眼の特性の測定または治療を行う眼科用光学機器と、を備えた眼科手術システムを制御する制御装置において実行される眼科手術システム制御プログラムであって、
前記手術顕微鏡は、
前記患者眼からの観察光束を導光する観察光学系と、
前記観察光学系によって導光された前記観察光束を受光することで前記患者眼の顕微鏡画像を撮影する撮影素子と、
を備え、
前記眼科手術システムは、
前記眼科用光学機器の少なくとも一部を、前記観察光学系と前記患者眼の間に挿入されて前記患者眼の特性の測定または治療を行う作動位置と、前記作動位置から離間する退避位置との間で移動可能に支持する支持機構をさらに備え、
前記眼科手術システム制御プログラムが前記制御装置の制御部によって実行されることで、
前記撮影素子によって撮影された前記顕微鏡画像の、表示手段における表示制御を行う表示制御ステップを、前記制御装置に実行させることを特徴とする眼科手術システム制御プログラム。
【請求項６】
手術中に生体をユーザに観察させる眼科用手術顕微鏡であって、
前記生体からの観察光束を導光する観察光学系と、
前記観察光学系における前記観察光束の光路上に設けられ、前記観察光学系の焦点距離を変更する焦点距離変更部と、
前記焦点距離変更部を駆動させる焦点距離変更駆動部と、
前記観察光学系の位置を、少なくとも前記観察光束に沿う方向に移動させる観察光学系移動部と、
前記観察光学系移動部を駆動させる観察光学系移動駆動部と、
前記眼科用手術顕微鏡の動作を制御する顕微鏡制御部と、
を備え、
前記顕微鏡制御部は、
前記観察光学系を移動させる指示が入力された場合に、前記観察光学系移動駆動部を制御して前記観察光学系を前記観察光束に沿う方向に移動させると共に、前記焦点距離変更駆動部を制御して前記観察光学系の焦点距離を前記観察光学系の移動距離と同じ距離だけ変更することを特徴とする眼科用手術顕微鏡。
【請求項７】
手術中に生体をユーザに観察させる眼科用手術顕微鏡であって、
前記生体からの観察光束を導光する観察光学系と、
前記観察光学系における前記観察光束の光路上に設けられ、前記観察光学系の焦点距離を変更する焦点距離変更部と、
前記焦点距離変更部を駆動させる焦点距離変更駆動部と、
前記観察光学系の位置を、少なくとも前記観察光束に沿う方向に移動させる観察光学系移動部と、
前記観察光学系移動部を駆動させる観察光学系移動駆動部と、
前記眼科用手術顕微鏡の動作を制御する顕微鏡制御部と、
を備え、
前記顕微鏡制御部は、
前記手術顕微鏡の使用態様を変更する指示が入力された場合に、前記観察光学系移動駆動部を制御して前記観察光学系を前記観察光束に沿う方向に所定距離移動させると共に、前記焦点距離変更駆動部を制御して前記観察光学系の焦点距離を前記観察光学系の移動距離と同じ距離だけ変更することを特徴とする眼科用手術顕微鏡。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
演出を制御可能な演出制御手段を備え、
当たりであると判定されると遊技者に有利な特別遊技状態に制御可能な遊技機において、
前記演出制御手段は、
当たりであると判定される期待度が高くなることを示唆する予告演出を実行可能であり、
前記予告演出の実行がストックされていること示すストック表示を実行可能であり、
前記ストック表示の消化によって前記予告演出を実行可能であり、
前記ストック表示の消化が実行される消化タイミングは、複数設けられていて、
所定の分岐タイミングを経て、当たりであることを示唆する当選示唆演出又はハズレであることを示唆するハズレ示唆演出を実行可能であり、
前記分岐タイミングにて前記ストック表示の消化が実行された場合には、前記分岐タイミングよりも前のタイミングにて前記ストック表示の消化が実行された場合よりも、前記当選示唆演出を実行し易いことを特徴とする遊技機。
【手続補正２】
【補正対象書類名】明細書
【補正対象項目名】０００５
【補正方法】変更
【補正の内容】
【０００５】
しかしながら、上記特許文献１に記載の遊技機の演出には改善の余地があった。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、遊技興趣を高めることが可能な遊技機を提供することにある。
【手続補正４】
【補正対象書類名】明細書
【補正対象項目名】０００７
【補正方法】変更
【補正の内容】
【０００７】
本発明に係る遊技機は、
演出を制御可能な演出制御手段を備え、
当たりであると判定されると遊技者に有利な特別遊技状態に制御可能な遊技機において、
前記演出制御手段は、
当たりであると判定される期待度が高くなることを示唆する予告演出を実行可能であり、
前記予告演出の実行がストックされていること示すストック表示を実行可能であり、
前記ストック表示の消化によって前記予告演出を実行可能であり、
前記ストック表示の消化が実行される消化タイミングは、複数設けられていて、
所定の分岐タイミングを経て、当たりであることを示唆する当選示唆演出又はハズレであることを示唆するハズレ示唆演出を実行可能であり、
前記分岐タイミングにて前記ストック表示の消化が実行された場合には、前記分岐タイミングよりも前のタイミングにて前記ストック表示の消化が実行された場合よりも、前記当選示唆演出を実行し易いことを特徴とする遊技機である。
【手続補正５】
【補正対象書類名】明細書
【補正対象項目名】０００８
【補正方法】変更
【補正の内容】
【０００８】
本発明の遊技機によれば、遊技興趣を高めることが可能である。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
演出を制御可能な演出制御手段を備え、
当たりであると判定されると遊技者に有利な特別遊技状態に制御可能な遊技機において、
前記演出制御手段は、
第１演出又は前記第１演出よりも前記特別遊技状態に制御され易いことを示唆する第２演出を実行可能であり、
当たりであると判定される期待度が高くなることを示唆する予告演出を実行可能であり、
前記予告演出の実行がストックされていることを示すストック表示を実行可能であり、
前記ストック表示の消化によって前記予告演出を実行可能であり、
前記第２演出の実行中に前記ストック表示の消化が実行される消化タイミングは、前記第１演出の実行中に前記ストック表示の消化が実行される消化タイミングよりも、多く設定されていることを特徴とする遊技機。
【手続補正２】
【補正対象書類名】明細書
【補正対象項目名】０００５
【補正方法】変更
【補正の内容】
【０００５】
しかしながら、上記特許文献１に記載の遊技機の演出には改善の余地があった。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、遊技興趣を高めることが可能な遊技機を提供することにある。
【手続補正４】
【補正対象書類名】明細書
【補正対象項目名】０００７
【補正方法】変更
【補正の内容】
【０００７】
本発明に係る遊技機は、
演出を制御可能な演出制御手段を備え、
当たりであると判定されると遊技者に有利な特別遊技状態に制御可能な遊技機において、
前記演出制御手段は、
第１演出又は前記第１演出よりも前記特別遊技状態に制御され易いことを示唆する第２演出を実行可能であり、
当たりであると判定される期待度が高くなることを示唆する予告演出を実行可能であり、
前記予告演出の実行がストックされていることを示すストック表示を実行可能であり、
前記ストック表示の消化によって前記予告演出を実行可能であり、
前記第２演出の実行中に前記ストック表示の消化が実行される消化タイミングは、前記第１演出の実行中に前記ストック表示の消化が実行される消化タイミングよりも、多く設定されていることを特徴とする遊技機である。
【手続補正５】
【補正対象書類名】明細書
【補正対象項目名】０００８
【補正方法】変更
【補正の内容】
【０００８】
本発明の遊技機によれば、遊技興趣を高めることが可能である。
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
眼科用手術顕微鏡によって撮影された患者眼の顕微鏡画像を取得する顕微鏡画像取得手段と、
ユーザによる前記患者眼の手術を補助するための、前記患者眼の画像を含む画像である補助画像を取得する補助画像取得手段と、
表示手段の表示領域に形成されるウィンドウである顕微鏡画像ウィンドウに前記顕微鏡画像を表示させると共に、前記顕微鏡画像ウィンドウとは異なる前記表示領域内のウィンドウである補助画像ウィンドウに前記補助画像を表示させる表示制御手段と、
を備えたことを特徴とする眼科情報処理装置。
【請求項２】
請求項１に記載の眼科情報処理装置であって、
前記顕微鏡画像は、前記患者眼の眼底の表面の画像および前眼部の画像の少なくともいずれかを含み、
前記補助画像は、前記患者眼の眼底の表面の画像、二次元断層画像、および三次元断層画像の少なくともいずれかを含むことを特徴とする眼科情報処理装置。
【請求項３】
請求項１から２のいずれかに記載の眼科情報処理装置であって、
前記表示制御手段は、前記補助画像の方向および倍率の少なくともいずれかを、前記顕微鏡画像に応じて変化させることを特徴とする眼科情報処理装置。
【請求項４】
請求項１から３のいずれかに記載の眼科情報処理装置であって、
前記補助画像取得手段は、手術前に行われた前記患者眼の測定および撮影の少なくともいずれかに基づく前記補助画像である手術前補助画像と、手術中に行われた前記患者眼の測定および撮影の少なくともいずれかに基づく前記補助画像である手術中補助画像とを取得し、
前記表示制御手段は、前記手術前補助画像および前記手術中補助画像を前記表示手段に表示させることを特徴とする眼科情報処理装置。
【請求項５】
請求項１から４のいずれかに記載の眼科情報処理装置であって、
前記補助画像取得手段は、前記眼科用手術顕微鏡の観察光束の光路上に挿脱可能に配置される眼科用測定装置によって手術中に行われる、前記患者眼の測定および撮影の少なくともいずれかに基づく前記補助画像である手術中補助画像を取得し、
前記表示制御手段は、前記顕微鏡画像と、前記補助画像取得手段によって取得された手術中補助画像とを切り替えて表示させることが可能であることを特徴とする眼科情報処理装置。
【請求項６】
眼科情報処理装置のプロセッサによって実行されることで、
眼科用手術顕微鏡によって撮影された患者眼の顕微鏡画像を取得する顕微鏡画像取得ステップと、
ユーザによる前記患者眼の手術を補助するための、前記患者眼の画像を含む画像である補助画像を取得する補助画像取得ステップと、
表示手段の表示領域に形成されるウィンドウである顕微鏡画像ウィンドウに前記顕微鏡画像を表示させると共に、前記顕微鏡画像ウィンドウとは異なる前記表示領域内のウィンドウである補助画像ウィンドウに前記補助画像を表示させる表示制御ステップと、
を前記眼科情報処理装置に実行させることを特徴とする眼科情報処理プログラム。
【請求項７】
患者眼の顕微鏡画像を撮影する眼科用手術顕微鏡と、
ユーザによる前記患者眼の手術を補助するための、前記患者眼の画像を含む補助画像に用いられる情報を、前記患者眼の測定および撮影の少なくともいずれかを行うことで取得する眼科用測定装置と、
表示手段の表示領域に形成されるウィンドウである顕微鏡画像ウィンドウに前記顕微鏡画像を表示させると共に、前記顕微鏡画像ウィンドウとは異なる前記表示領域内のウィンドウである補助画像ウィンドウに前記補助画像を表示させる眼科情報処理装置と、
を備えたことを特徴とする眼科情報処理システム。
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
印刷媒体に印刷する印刷部と、
入力を受け付ける入力部と、
設定項目について、現時点で設定されており更新可能な現在設定値、第１タイミングで設定された第１設定値、及び、前記第１タイミングよりも前の第２タイミングで設定された第２設定値を記憶可能な記憶部と、
設定モードのとき、１の設定項目に係る前記第１設定値が前記記憶部に記憶されている場合は、当該１の設定項目に係る前記第１設定値と対応付けて第１の画像を前記印刷部に印刷させ、
当該１の設定項目に係る前記第１設定値が前記記憶部に記憶されてない場合は、前記記憶部に記憶されている当該１の設定項目に係る前記第２設定値と対応付けて前記第１の画像を前記印刷部に印刷させ、
前記入力部への入力に基づき前記１の設定項目に係る前記現在設定値を更新する制御部と、を備える印刷装置。
【請求項２】
前記制御部は、
前記記憶部に記憶されている前記１の設定項目に係る前記現在設定値に対応付けて前記第１の画像とは異なる第２の画像を印刷する請求項１に記載の印刷装置。
【請求項３】
前記第１設定値は出荷段階で前記記憶部に記憶され、前記第２設定値は製造段階で、基板に実装前または前記基板に実装後の前記記憶部に記憶される請求項１又は２に記載の印刷装置。
【請求項４】
前記第１設定値は、前記記憶部に記憶されているフォントデータの設定に係るものを含む請求項１に記載の印刷装置。
【請求項５】
前記制御部は、
前記記憶部に記憶されている前記１の設定項目に係る前記第１設定値がヌル値のとき、前記第１設定値が前記記憶部に記憶されてないと判断する請求項１に記載の印刷装置。
【請求項６】
前記制御部は、
前記印刷部を制御して、前記第１の画像を前記第１設定値または前記第２設定値と同一の行に印刷させる請求項１に記載の印刷装置。
【請求項７】
外部の装置と通信する通信部を備え、
前記制御部は、 
前記通信部で、前記１の設定項目について、前記現在設定値を、前記第１設定値として記憶することを指示する制御コマンドを受信した場合、受信した前記制御コマンドに基づいて、前記１の設定項目に係る前記現在設定値を、前記第１設定値として前記記憶部に記憶させる請求項１乃至６のいずれか１項に記載の印刷装置。
【請求項８】
印刷媒体に印刷する印刷部と、入力を受け付ける入力部と、設定項目について、現時点で設定されており更新可能な現在設定値、第１タイミングで設定された第１設定値、及び、前記第１タイミングよりも前の第２タイミングで設定された第２設定値を記憶可能な記憶部と、を備える印刷装置の制御方法であって、
設定モードのとき、１の設定項目に係る前記第１設定値が前記記憶部に記憶されている場合は、当該１の設定項目に係る前記第１設定値と対応付けて第１の画像を前記印刷部に印刷させ、
当該１の設定項目に係る前記第１設定値が前記記憶部に記憶されてない場合は、前記記憶部に記憶されている当該１の設定項目に係る前記第２設定値と対応付けて前記第１の画像を前記印刷部に印刷させ、
前記入力部への入力に基づき前記１の設定項目に係る前記現在設定値を更新する印刷装置の制御方法。
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
光沢記録材及び有色記録材を記録する第１領域と、前記光沢記録材を記録せずに有色記録材を記録する第２領域と、を含む画像を記録媒体上に形成するための画像処理装置であって、
前記画像の色を表す色信号を取得する第１取得手段と、
前記色信号に基づいて、前記第１領域に記録する前記光沢記録材の記録量との総量が、前記記録媒体の前記第１領域における記録材の受容可能量を超えないように、前記第１領域に記録する前記有色記録材の記録量を決定する第１決定手段と、
前記色信号と、前記第１領域に記録する前記有色記録材の記録量と、に基づいて、前記第２領域に記録する前記有色記録材の記録量を決定する第２決定手段と、
を有することを特徴とする画像処理装置。
【請求項２】
前記第２決定手段は、前記第１領域に対応する前記色信号が表す色と、前記第１決定手段により決定された記録量の前記有色記録材を記録して再現される色と、の差分に基づいて、前記第２領域に記録する前記有色記録材の記録量を決定することを特徴とする請求項１に記載の画像処理装置。
【請求項３】
前記受容可能量は、前記記録媒体上で記録材が浸透し定着する記録量の上限値であることを特徴とする請求項１又は請求項２に記載の画像処理装置。
【請求項４】
前記有色記録材は有色インクであり、
前記光沢記録材はクリアインクであることを特徴とする請求項１乃至請求項３のいずれか一項に記載の画像処理装置。
【請求項５】
前記有色記録材は有色インクであり、
前記光沢記録材はメタリックインクであることを特徴とする請求項１乃至請求項３のいずれか一項に記載の画像処理装置。
【請求項６】
前記画像の光沢を表す光沢信号に基づいて、前記画像内の各領域が、前記第１領域と前記第２領域とのどちらの領域であるかを判定する判定手段をさらに有することを特徴とする請求項１乃至請求項５のいずれか一項に記載の画像処理装置。
【請求項７】
前記光沢信号に基づいて、前記記録媒体上における前記光沢記録材のドット配置を表すドット配置データを取得する第２取得手段をさらに有し、
前記判定手段は、前記ドット配置データに基づいて、前記画像内の各領域が、前記第１領域と前記第２領域とのどちらの領域であるかを判定することを特徴とする請求項６に記載の画像処理装置。
【請求項８】
前記第２取得手段は、前記光沢信号と前記ドット配置データとが対応付けられたテーブルに基づいて、前記ドット配置データを取得することを特徴とする請求項７に記載の画像処理装置。
【請求項９】
前記色信号を、前記色信号が表す色を再現するための仮想的な有色記録材の仮想記録量に変換する変換手段をさらに有し、
前記第１決定手段は、前記仮想記録量に基づいて、前記第１領域に記録する前記有色記録材の記録量を決定することを特徴とする請求項１乃至請求項８のいずれか一項に記載の画像処理装置。
【請求項１０】
前記受容可能量から前記第１領域に記録する前記光沢記録材の記録量を減算することによって、前記第１領域に記録できる記録材の記録量を算出する算出手段をさらに有し、
前記第１決定手段は、前記算出された記録量に基づいて、前記第１領域に記録する前記有色記録材の記録量を決定することを特徴とする請求項１乃至請求項９のいずれか一項に記載の画像処理装置。
【請求項１１】
前記第２決定手段は、前記第２領域に対応する前記色信号が表す色を再現するための前記有色記録材の記録量に、前記差分が表す色を再現するための前記有色記録材の記録量を加算することにより、前記第２領域に記録する前記有色記録材の記録量を決定することを特徴とする請求項２に記載の画像処理装置。
【請求項１２】
光沢記録材及び有色記録材を記録する第１領域と、前記光沢記録材を記録せずに有色記録材を記録する第２領域と、を含む画像を記録媒体上に形成するための画像処理装置であって、
前記画像の色を表す色信号を取得する取得手段と、
前記色信号に基づいて、前記第１領域に記録する前記光沢記録材のドット数との総量が、前記記録媒体の前記第１領域において記録できる最大ドット数を超えないように、前記第１領域に記録する前記有色記録材のドット数を決定する第１決定手段と、
前記色信号と、前記第１領域に記録する前記有色記録材のドット数と、に基づいて、前記第２領域に記録する前記有色記録材のドット数を決定する第２決定手段と、
を有することを特徴とする画像処理装置。
【請求項１３】
コンピュータを請求項１乃至請求項１２のいずれか一項に記載の画像処理装置の各手段として機能させるためのプログラム。
【請求項１４】
光沢記録材及び有色記録材を記録する第１領域と、前記光沢記録材を記録せずに有色記録材を記録する第２領域と、を含む画像を記録媒体上に形成するための画像処理方法であって、
前記画像の色を表す色信号を取得する取得ステップと、
前記色信号に基づいて、前記第１領域に記録する前記光沢記録材の記録量との総量が、前記記録媒体の前記第１領域における記録材の受容可能量を超えないように、前記第１領域に記録する前記有色記録材の記録量を決定する第１決定ステップと、
前記色信号と、前記第１領域に記録する前記有色記録材の記録量と、に基づいて、前記第２領域に記録する前記有色記録材の記録量を決定する第２決定ステップと、
を有することを特徴とする画像処理方法。
【請求項１５】
光沢記録材及び有色記録材を記録する第１領域と、前記光沢記録材を記録せずに有色記録材を記録する第２領域と、を含む画像を記録媒体上に形成するための画像処理方法であって、
前記画像の色を表す色信号を取得する取得ステップと、
前記色信号に基づいて、前記第１領域に記録する前記光沢記録材のドット数との総量が、前記記録媒体の前記第１領域において記録できる最大ドット数を超えないように、前記第１領域に記録する前記有色記録材のドット数を決定する第１決定ステップと、
前記色信号と、前記第１領域に記録する前記有色記録材のドット数と、に基づいて、前記第２領域に記録する前記有色記録材のドット数を決定する第２決定ステップと、
を有することを特徴とする画像処理方法。
【手続補正２】
【補正対象書類名】明細書
【補正対象項目名】０００６
【補正方法】変更
【補正の内容】
【０００６】
上記課題を解決するために、本発明に係る画像処理装置は、光沢記録材及び有色記録材を記録する第１領域と、前記光沢記録材を記録せずに有色記録材を記録する第２領域と、を含む画像を記録媒体上に形成するための画像処理装置であって、前記画像の色を表す色信号を取得する第１取得手段と、前記色信号に基づいて、前記第１領域に記録する前記光沢記録材の記録量との総量が、前記記録媒体の前記第１領域における記録材の受容可能量を超えないように、前記第１領域に記録する前記有色記録材の記録量を決定する第１決定手段と、前記色信号と、前記第１領域に記録する前記有色記録材の記録量と、に基づいて、前記第２領域に記録する前記有色記録材の記録量を決定する第２決定手段と、を有することを特徴とする。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
透光部を含み、液状の光硬化性樹脂を保持する容器と、
複数の画素を含み、光源からの光を前記画素ごとに変調する光変調素子と、
前記光変調素子からの変調光を、前記透光部を通して前記光硬化性樹脂に照射する光学系と、
変換情報を用いて三次元形状データを複数の二次元変調制御データに変換する変換部と、
前記複数の二次元変調制御データのそれぞれに基づいて前記光変調素子を制御する制御部と、
前記光硬化性樹脂のうち前記変調光を受けて硬化した硬化部を前記透光部から離れる方向へ移動させる移動部材とを有し、
前記変換部は、前記光硬化性樹脂において前記変調光が照射される複数の樹脂領域の硬化収縮率の分布に応じて、前記三次元形状データにおける前記複数の樹脂領域のそれぞれに対応するデータ領域ごとに前記変換情報を設定することを特徴とする光造形装置。
【請求項２】
前記変換部は、前記二次元変調制御データごとに前記変換情報を設定することを特徴とする請求項１に記載の光造形装置。
【請求項３】
前記変換情報は、前記三次元形状データにおける単位面積と前記光硬化性樹脂における前記変調光の照射面積との比率に関する情報であることを特徴とする請求項１又は２に記載の光造形装置。
【請求項４】
前記変換部は、前記硬化収縮率が高いほど、前記単位面積に対する前記照射面積が大きくなるように前記比率を設定することを特徴とする請求項３に記載の光造形装置。
【請求項５】
前記変換情報は、前記三次元形状データにおける単位厚みと前記光硬化性樹脂おける前記変調光の照射時間との比率に関する情報であることを特徴とする請求項１又は２に記載の光造形装置。
【請求項６】
前記変換部は、前記硬化収縮率が高いほど、前記単位厚みに対する前記照射時間が長くなるように前記比率を設定することを特徴とする請求項５に記載の光造形装置。
【請求項７】
前記変換部は、前記光硬化性樹脂の温度分布または温度変化に応じて前記変換情報を設定することを特徴とする請求項１又は２に記載の光造形装置。
【請求項８】
前記変換部は、前記三次元形状データに応じて前記変換情報を設定することを特徴とする請求項１又は２に記載の光造形装置。
【請求項９】
前記変換部は、前記三次元形状データに応じた前記複数の樹脂領域に対する前記変調光の照射予定情報を用いて前記変換情報を設定することを特徴とする請求項８に記載の光造形装置。
【請求項１０】
前記変換部は、校正用三次元形状データに基づいて前記光変調素子を制御することで形成された前記硬化部の形状に関する情報に応じて前記変換情報を設定することを特徴とする請求項１又は２に記載の光造形装置。
【請求項１１】
前記変換部は、前記三次元形状データが示す三次元物体の中心または前記光硬化性樹脂における温度分布の中心を原点として前記変換情報を設定することを特徴とする請求項１又は２に記載の光造形装置。
【請求項１２】
透光部を含む容器により液状の光硬化性樹脂を保持し、
複数の画素を含み光源からの光を前記画素ごとに変調する光変調素子を、変換情報を用いて三次元形状データを変換することで生成された複数の二次元変調制御データのそれぞれに基づいて制御して、該光変調素子からの変調光を前記透光部を通して前記光硬化性樹脂に照射し、
前記光硬化性樹脂のうち前記変調光を受けて硬化した硬化部を前記透光部から離れる方向へ移動させることで三次元物体を製造する光造形方法であって、
前記光硬化性樹脂において前記変調光が照射される複数の樹脂領域の硬化収縮率の分布に応じて、前記三次元形状データにおける前記複数の樹脂領域のそれぞれに対応するデータ領域ごとに前記変換情報を設定することを特徴とする光造形方法。
【請求項１３】
透光部を含み液状の光硬化性樹脂を保持する容器と、複数の画素を含み光源からの光を前記画素ごとに変調する光変調素子と、該光変調素子からの変調光を前記透光部を通して前記光硬化性樹脂に照射する光学系とを有する光造形装置のコンピュータに、
変換情報を用いて三次元形状データを複数の二次元変調制御データに変換させ、
該複数の二次元変調制御データのそれぞれに基づいて前記光変調素子を制御させ、
前記光硬化性樹脂のうち前記変調光を受けて硬化した硬化部を前記透光部から離れる方向に移動させる処理を行わせ、
さらに前記コンピュータに、前記光硬化性樹脂において前記変調光が照射される複数の樹脂領域の硬化収縮率の分布に応じて、前記三次元形状データにおける前記複数の樹脂領域のそれぞれに対応するデータ領域ごとに前記変換情報を設定させることを特徴とする光造形プログラム。
【手続補正２】
【補正対象書類名】明細書
【補正対象項目名】発明の名称
【補正方法】変更
【補正の内容】
【発明の名称】光造形装置、光造形方法および光造形プログラム
【手続補正３】
【補正対象書類名】明細書
【補正対象項目名】０００７
【補正方法】変更
【補正の内容】
【０００７】
本発明は、造形中に光硬化性樹脂内での硬化収縮率の分布や変化が生じても良好な造形精度が得られるようにした光造形装置等を提供する。
【手続補正４】
【補正対象書類名】明細書
【補正対象項目名】０００８
【補正方法】変更
【補正の内容】
【０００８】
本発明の一側面としての光造形装置は、透光部を含み、液状の光硬化性樹脂を保持する容器と、複数の画素を含み、光源からの光を画素ごとに変調する光変調素子と、光変調素子からの変調光を、透光部を通して光硬化性樹脂に照射する光学系と、変換情報を用いて三次元形状データを複数の二次元変調制御データに変換する変換部と、該複数の二次元変調制御データのそれぞれに基づいて光変調素子を制御する制御部と、光硬化性樹脂のうち変調光を受けて硬化した硬化部を透光部から離れる方向へ移動させる移動部材とを有する。そして、変換部は、光硬化性樹脂において変調光が照射される複数の樹脂領域の硬化収縮率に分布に応じて、三次元形状データにおける複数の樹脂領域のそれぞれに対応するデータ領域ごとに変換情報を設定することを特徴とする。
【手続補正５】
【補正対象書類名】明細書
【補正対象項目名】０００９
【補正方法】変更
【補正の内容】
【０００９】
また、本発明の一側面としての光造形方法は、透光部を含む容器により液状の光硬化性樹脂を保持し、複数の画素を含み光源からの光を画素ごとに変調する光変調素子を、変換情報を用いて三次元形状データを変換することで得られた複数の二次元変調制御データのそれぞれに基づいて制御して、該光変調素子からの変調光を透光部を通して光硬化性樹脂に照射し、光硬化性樹脂のうち変調光を受けて硬化した硬化部を透光部から離れる方向へ移動させることで三次元物体を製造する方法である。該製造方法は、光硬化性樹脂において変調光が照射される複数の樹脂領域の硬化収縮率の分布に応じて、三次元形状データにおける複数の樹脂領域のそれぞれに対応するデータ領域ごとに変換情報を設定することを特徴とする。
【手続補正６】
【補正対象書類名】明細書
【補正対象項目名】００１０
【補正方法】変更
【補正の内容】
【００１０】
なお、上記光造形装置のコンピュータに上記光造形方法に従う光造形プロセスを実行させるコンピュータプログラムとしての光造形プログラムも、本発明の他の側面を構成する。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
透光部を含み、液状の光硬化性樹脂を保持する容器と、
複数の画素を含み、光源からの光を前記画素ごとに変調する光変調素子と、
前記光変調素子からの変調光を、前記透光部を通して前記光硬化性樹脂に照射する光学系と、
三次元形状データから得られる複数の二次元形状データのそれぞれに基づいて前記光変調素子を制御する制御部と、
前記光硬化性樹脂のうち前記変調光を受けて硬化した硬化部を前記透光部から離れる方向へ移動させる移動部材とを有し、
前記制御部は、前記光硬化性樹脂の前記温度分布または前記温度変化に応じて、前記光硬化性樹脂における複数の樹脂領域のそれぞれに、該樹脂領域ごとの硬化必要光量に応じた照射光量の前記変調光が照射されるように前記光変調素子を制御することを特徴とする光造形装置。
【請求項２】
前記制御部は、前記複数の二次元形状データのそれぞれに基づく前記変調光の照射ごとに、前記硬化必要光量に応じた前記照射光量の前記変調光が前記複数の樹脂領域のそれぞれに照射されるように前記光変調素子を制御することを特徴とする請求項１に記載の光造形装置。
【請求項３】
前記制御部は、前記複数の樹脂領域のうち第１の樹脂領域の前記硬化必要光量が第２の樹脂領域の前記硬化必要光量より少ない場合に、前記第１の樹脂領域に対する前記照射光量が前記第２の樹脂領域に対する前記照射光量より少なくなるように前記光変調素子を制御することを特徴とする請求項１又は２に記載の光造形装置。
【請求項４】
前記制御部は、前記硬化必要光量に応じて、前記光変調素子の前記画素の照射デューティ比を制御することを特徴とする請求項１乃至３の何れか一項に記載の光造形装置。
【請求項５】
前記光硬化性樹脂の温度分布または温度変化を検出するための温度検出手段を有することを特徴とする請求項１乃至４の何れか一項に記載の光造形装置。
【請求項６】
前記制御部は、前記三次元形状データに応じて前記樹脂領域ごとの前記硬化必要光量を設定することを特徴とする請求項１乃至５の何れか一項に記載の光造形装置。
【請求項７】
前記制御部は、前記三次元形状データに応じた前記複数の樹脂領域に対する前記変調光の照射予定情報に応じて、前記樹脂領域ごとの前記硬化必要光量を設定することを特徴とする請求項６に記載の光造形装置。
【請求項８】
前記制御部は、校正用三次元形状データに基づいて前記光変調素子を制御することで形成された前記硬化部の形状に関する情報に応じて、前記樹脂領域ごとの前記硬化必要光量を設定することを特徴とする請求項１乃至５の何れか一項に記載の光造形装置。
【請求項９】
透光部を含む容器により液状の光硬化性樹脂を保持し、
複数の画素を含み光源からの光を前記画素ごとに変調する光変調素子を、三次元形状データから得られる複数の二次元形状データのそれぞれに基づいて制御して、該光変調素子からの変調光を前記透光部を通して前記光硬化性樹脂に照射し、
前記光硬化性樹脂のうち前記変調光を受けて硬化した硬化部を前記透光部から離れる方向へ移動させることで三次元物体を製造する光造形方法であって、
前記光硬化性樹脂の前記温度分布または前記温度変化に応じて、前記光硬化性樹脂における複数の樹脂領域のそれぞれに、該樹脂領域ごとの硬化必要光量に応じた照射光量の前記変調光が照射されるように前記光変調素子を制御することを特徴とする光造形方法。
【請求項１０】
透光部を含み液状の光硬化性樹脂を保持する容器と、複数の画素を含み光源からの光を前記画素ごとに変調する光変調素子と、前記光変調素子からの変調光を前記透光部を通して前記光硬化性樹脂に照射する光学系とを有する光造形装置のコンピュータに、
三次元形状データから得られる複数の二次元形状データのそれぞれに基づいて前記光変調素子を制御させ、
前記光硬化性樹脂のうち前記変調光を受けて硬化した硬化部を前記透光部から離れる方向に移動させる処理を行わせ、
さらに前記コンピュータに、前記光硬化性樹脂の前記温度分布または前記温度変化に応じて、前記光硬化性樹脂における複数の樹脂領域のそれぞれに、該樹脂領域ごとの硬化必要光量に応じた照射光量の前記変調光が照射されるように前記光変調素子を制御させることを特徴とする光造形プログラム。
【手続補正２】
【補正対象書類名】明細書
【補正対象項目名】発明の名称
【補正方法】変更
【補正の内容】
【発明の名称】光造形装置、光造形方法および光造形プログラム
【手続補正３】
【補正対象書類名】明細書
【補正対象項目名】０００７
【補正方法】変更
【補正の内容】
【０００７】
本発明は、造形中に光硬化性樹脂内での硬化反応率の分布や変化が生じても良好な造形精度が得られるようにした光造形装置等を提供する。
【手続補正４】
【補正対象書類名】明細書
【補正対象項目名】０００８
【補正方法】変更
【補正の内容】
【０００８】
本発明の一側面としての光造形装置は、透光部を含み、液状の光硬化性樹脂を保持する容器と、複数の画素を含み光源からの光を画素ごとに変調する光変調素子と、光変調素子からの変調光を、透光部を通して光硬化性樹脂に照射する光学系と、三次元形状データから得られる複数の二次元形状データのそれぞれに基づいて光変調素子を制御する制御部と、光硬化性樹脂のうち変調光を受けて硬化した硬化部を透光部から離れる方向へ移動させる移動部材とを有する。制御部は、光硬化性樹脂の温度分布または温度変化に応じて、光硬化性樹脂における複数の樹脂領域のそれぞれに、該樹脂領域ごとの硬化必要光量に応じた照射光量の変調光が照射されるように光変調素子を制御することを特徴とする。
【手続補正５】
【補正対象書類名】明細書
【補正対象項目名】０００９
【補正方法】変更
【補正の内容】
【０００９】
また、本発明の他の一側面としての光造形方法は、透光部を含む容器により液状の光硬化性樹脂を保持し、複数の画素を含み光源からの光を画素ごとに変調する光変調素子を、三次元形状データから得られる複数の二次元形状データのそれぞれに基づいて制御して、該光変調素子からの変調光を透光部を通して光硬化性樹脂に照射し、光硬化性樹脂のうち変調光を受けて硬化した硬化部を透光部から離れる方向へ移動させることで三次元物体を製造する方法である。該製造方法は、光硬化性樹脂の温度分布または温度変化に応じて、光硬化性樹脂における複数の樹脂領域のそれぞれに、該樹脂領域ごとの硬化必要光量に応じた照射光量の変調光が照射されるように光変調素子を制御することを特徴とする。
【手続補正６】
【補正対象書類名】明細書
【補正対象項目名】００１０
【補正方法】変更
【補正の内容】
【００１０】
なお、上記光造形装置のコンピュータに上記光造形方法に従う光造形プロセスを実行させるコンピュータプログラムとしての光造形プログラムも、本発明の他の側面を構成する。